(57)【要約】      （修正有）【課題】無駄な電力を消費しない表示装置を有する電源スイッチを提供する。【解決手段】ベース１０と、該ベースに取り付けられる本体２０と、上下移動自在に該本体に組み合わされる押しボタン３０と、該ベースに取り付けられる第一導電プレート４０及び第二導電プレート５０と、該本体に設置されて導電性を有する揺動プレート６０を備える。さらに、該本体内に枢設されると共に、該押しボタンを押圧すると、該揺動プレートを一側へ倒れ込ませることによって該第一導電プレートと第二導電プレートとを接続させることができる揺動ボタン７０を有し、また、その揺動ボタンの倒れ込みによって、該揺動ボタンの表示部材が押しボタンの表示開口３１から露出し、電源スイッチの開閉状態を表示する。【選択図】図４
0003175268.tif 000002
【実用新案登録請求の範囲】
【請求項１】
ベースと、
前記ベースに取り付けられる本体と、
一端が前記ベースに取り付けられると共に、他端が該ベースから外部へ突出する第一導電プレートと、
一端が前記ベースに取り付けられると共に、他端が該ベースから外部へ突出する第二導電プレートと、
一端に接触端子が取り付けられ、該接触端子の内側近傍に第一接触点が形成され、他端が上方に向かって湾曲するように第二接触点が形成される、導電性を有する揺動プレートと、
回転可能に前記本体に枢設され、底面に伸縮可能な当接部材が取り付けられると共に、上面に表示部材が取り付けられる揺動ボタンと、
一端が前記本体に枢設されると共に、前記揺動ボタンを傾斜状態に保持するために、他端が移動可能に前記揺動ボタンに掛合される位置決めロッドと、
上下移動自在に前記本体に組み合わされると共に、上部に、前記揺動ボタンの表示部材と対応するように表示開口が形成される押しボタンと、を有することを特徴とする電力を消費しない表示装置を備える電源スイッチ。
【請求項２】
前記ベース側の第一導電プレートの一端における、前記揺動プレートの接触端子と対応する位置に接触端子が取り付けられ、
前記第二導電プレートにおける、前記ベースと対応する箇所に、前記揺動プレートを設置するためのコ字形の支持部が設けられることを特徴とする請求項１に記載の電力を消費しない表示装置を備える電源スイッチ。
【請求項３】
前記第一導電プレートにおけるベース側の一端に支持部が設けられ、
前記第二導電プレートにおけるベース側の一端に接触端子が取り付けられ、
前記揺動プレートが該支持部に組み合わされると共に、該揺動プレートの接触端子が前記第二導電プレートの接触端子と対応することを特徴とする請求項１に記載の電力を消費しない表示装置を備える電源スイッチ。
【請求項４】
前記表示部材の上端に、マーク付きの傾斜状の表示面が設けられることを特徴とする請求項１乃至３の何れか１項に記載の電力を消費しない表示装置を備える電源スイッチ。
【請求項５】
前記揺動ボタンの底面一側にブロックが凸設され、該ブロックの一側面に環状の位置決め溝が形成されると共に、該位置決め溝における、該ブロックの下部に第一凹部が形成され、該ブロックの中心近傍に第二凹部が形成され、該ブロックの上部両側における、該第二凹部より高い箇所に１つ以上の第三凹部が形成され、それら凹部が該位置決め溝に環状に配置されることを特徴とする請求項４に記載の電力を消費しない表示装置を備える電源スイッチ。
【請求項６】
前記位置決めロッドは、一端が前記本体内に枢設され、他端が移動可能に前記揺動ボタンの位置決め溝に掛合されることを特徴とする請求項５に記載の電力を消費しない表示装置を備える電源スイッチ。
【請求項７】
前記揺動ボタンの上面中央及び底面中央にそれぞれ、ばねを設置するための収容孔を有する収容柱が設けられ、
前記表示部材及び当接部材の一端にそれぞれ、対応するばねが当接することを特徴とする請求項６に記載の電力を消費しない表示装置を備える電源スイッチ。
【請求項８】
前記ベースは、矩形を呈すると共に、相対する側面にそれぞれ係合孔が形成され、
前記本体における、相対する両側に第一側壁が形成されると共に、他の相対する両側に第二側壁が形成され、
前記第一側壁はそれぞれ、該係合孔に対応すると共に、その外側面に１つ以上の第一係合部が設けられ、前記第二側壁はそれぞれ、その外側面に１つ以上の第二係合部が設けられると共に、枢軸孔が形成され、
前記揺動ボタンにおける両側外側面にそれぞれ、回転可能に前記本体の枢軸孔に枢設される枢軸が凸設されることを特徴とする請求項７に記載の電力を消費しない表示装置を備える電源スイッチ。
【請求項９】
前記本体における両側の第二側壁にそれぞれ、１つ以上の第二係合部が設けられ、
前記押しボタンにおける相対する側面にそれぞれ、前記本体の第二係合部に係合される組立孔が形成され、
前記押しボタンと本体の第一側壁との間にばねが取り付けられることを特徴とする請求項８に記載の電力を消費しない表示装置を備える電源スイッチ。
【請求項１０】
前記当接部材は、前記揺動プレートの第一接触点と第二接触点との間において移動することを特徴とする請求項６に記載の電力を消費しない表示装置を備える電源スイッチ。
【考案の詳細な説明】
【技術分野】
【０００１】
本考案は、特に電力を消費しない表示装置を備える、電力を節約できる電源スイッチに関するものである。
【背景技術】
【０００２】
既存の電源スイッチには、各種類のタイプを有し、そのうちよく見られるのは、押しボタンスイッチやスライドスイッチなどであり、それらは様々な分野に使われ、一番好評なのは、表示装置が付いている電源スイッチである。
【０００３】
既存の表示装置は、電源スイッチを入れた時にネオンランプが発光してその通電状態を表示し、一方、電源スイッチを切った時は、ネオンランプを消して無通電状態を表示する。この構成によれば、ネオンランプの表示装置によって、電源スイッチの通電状態を表示することができる。
【０００４】
しかしながら、上述した表示装置は、ネオンランプの点滅によって、電源スイッチの通電状態を表示することはできるが、そのネオンランプの発光時に電力を消費することから、電力を無駄に消費することになる。故に、その後、既存の電源スイッチを改良した押しボタンスイッチが開発された。これは、ボタンを押圧して元来の位置より低い位置に移動させることによって、電源スイッチを常にオン状態、つまり通電状態に維持することができ、一方、もう一度ボタンを押すと、そのボタンを上方へ移動させて電源スイッチをオフ状態にすることができる。
【０００５】
前記押しボタンスイッチを用いれば、そのボタンの高低位置によって、電源スイッチの開閉状態を判断することができ、押しボタンスイッチを使うと、電力を節約することができる。
【考案の概要】
【考案が解決しようとする課題】
【０００６】
しかしながら、ボタン押しスイッチは、そのボタンの高低位置によって通電状態を判断することが難しいので、大きな高低差がない場合には、使用者は簡単に開閉状態を判断することができなく、また、ボタンを電源スイッチの表面から突出するように取り付けると、美観に劣るという欠点がある。従って、上述した問題を解決するために、使用者が開閉状態を判断しやすく、且つ電力を消費しない表示装置を備える電源スイッチを開発する必要があった。
【課題を解決するための手段】
【０００７】
本考案に係る電力を消費しない表示装置を備える電源スイッチは、ベースと、
前記ベースに取り付けられる本体と、
一端が前記ベースに取り付けられると共に、他端が該ベースから外部へ突出する第一導電プレートと、
一端が前記ベースに取り付けられると共に、他端が該ベースから外部へ突出する第二導電プレートと、
一端に接触端子が取り付けられ、該接触端子の内側近傍に第一接触点が形成され、他端が上方に向かって湾曲するように第二接触点が形成される、導電性を有する揺動プレートと、
回転可能に前記本体に枢設され、底面に伸縮可能な当接部材が取り付けられると共に、上面に表示部材が取り付けられる揺動ボタンと、
一端が前記本体に枢設されると共に、前記揺動ボタンを傾斜状態に保持するために、他端が移動可能に前記揺動ボタンに掛合される位置決めロッドと、
上下移動自在に前記本体に組み合わされると共に、上部に、前記揺動ボタンの表示部材と対応するように表示開口が形成される押しボタンと、を有するものである。
【０００８】
前記ベース側の第一導電プレートの一端における、前記揺動プレートの接触端子と対応する位置に接触端子が取り付けられ、
前記第二導電プレートにおける、前記ベースと対応する箇所に、前記揺動プレートを設置するためのコ字形の支持部が設けられてもよい。
【０００９】
前記第一導電プレートにおけるベース側の一端に支持部が設けられ、
前記第二導電プレートにおけるベース側の一端に接触端子が取り付けられ、
前記揺動プレートが該支持部に組み合わされると共に、該揺動プレートの接触端子が前記第二導電プレートの接触端子と対応してもよい。
【００１０】
前記表示部材の上端に、マーク付きの傾斜状の表示面が設けられることが好ましい。
【００１１】
前記揺動ボタンの底面一側にブロックが凸設され、該ブロックの一側面に環状の位置決め溝が形成されると共に、該位置決め溝における、該ブロックの下部に第一凹部が形成され、該ブロックの中心近傍に第二凹部が形成され、該ブロックの上部両側における、該第二凹部より高い箇所に１つ以上の第三凹部が形成され、それら凹部が該位置決め溝に環状に配置されることが好ましい。
【００１２】
前記位置決めロッドは、一端が前記本体内に枢設され、他端が移動可能に前記揺動ボタンの位置決め溝に掛合されることが好ましい。
【００１３】
前記揺動ボタンの上面中央及び底面中央にそれぞれ、ばねを設置するための収容孔を有する収容柱が設けられ、
前記表示部材及び当接部材の一端にそれぞれ、対応するばねが当接することが好ましい。
【００１４】
前記ベースは、矩形を呈すると共に、相対する側面にそれぞれ係合孔が形成され、
前記本体における、相対する両側に第一側壁が形成されると共に、他の相対する両側に第二側壁が形成され、
前記第一側壁はそれぞれ、該係合孔に対応すると共に、その外側面に１つ以上の第一係合部が設けられ、前記第二側壁はそれぞれ、その外側面に１つ以上の第二係合部が設けられると共に、枢軸孔が形成され、
前記揺動ボタンにおける両側外側面にそれぞれ、回転可能に前記本体の枢軸孔に枢設される枢軸が凸設されることが好ましい。
【００１５】
前記本体における両側の第二側壁にそれぞれ、１つ以上の第二係合部が設けられ、
前記押しボタンにおける相対する側面にそれぞれ、前記本体の第二係合部に係合される組立孔が形成され、
前記押しボタンと本体の第一側壁との間にばねが取り付けられることが好ましい。
【００１６】
前記当接部材は、前記揺動プレートの第一接触点と第二接触点との間において移動することが好ましい。
【考案の効果】
【００１７】
本考案に係る電力を消費しない表示装置を備える電源スイッチは上記の構造を有することから、押しボタンを押して電源スイッチを切り替えた時、表示開口から表示部材の上端の表示面を見れば、第二導電プレートと第一導電プレートとが通電状態で電源スイッチがオン状態であることが分かり、一方、表示開口から表示部材の上端の表示面が見えない時は、第二導電プレート５０と第一導電プレート４０とが非通電状態で電源スイッチがオフ状態であることが分かるので、使用者が判断しやすいと共に、無駄な電力も消費しない。
【図面の簡単な説明】
【００１８】
【図１】本考案に係る電力を消費しない表示装置を備える電源スイッチの斜視図である。
【図２】本考案に係る電力を消費しない表示装置を備える電源スイッチの部分分解斜視図である。
【図３】本考案に係る電力を消費しない表示装置を備える電源スイッチが通電状態であることを示す部分側面断面図である。
【図４】本考案に係る電力を消費しない表示装置を備える電源スイッチが通電状態であることを示す他の部分側面断面図である。
【図５】本考案に係る電力を消費しない表示装置を備える電源スイッチにおける押しボタンを押して揺動ボタンを本体に対して時計回りに回転させて倒れ込ませた状態を示す部分側面断面図である。
【図６】本考案に係る電力を消費しない表示装置を備える電源スイッチにおける押しボタンを押して揺動ボタンを本体に対して時計回りに回転させて倒れ込ませた状態を示す他の部分側面断面図である。
【図７】本考案に係る電力を消費しない表示装置を備える電源スイッチにおける押しボタンを押圧して解放し、揺動ボタンを斜めに倒した状態を維持しながら押しボタンを上方へ復位させた状態を示す部分側面断面図である。
【図８】本考案に係る電力を消費しない表示装置を備える電源スイッチにおける押しボタンを押圧して解放し、揺動ボタンを斜めに倒した状態を維持しながら押しボタンを上方へ復位させた状態を示す部分側面断面図である。
【図９】本考案に係る電力を消費しない表示装置を備える電源スイッチの他の実施例の部分分解斜視図である。
【図１０】本考案に係る電力を消費しない表示装置を備える電源スイッチの他の実施例の無通電状態を示す部分側面断面図である。
【図１１】本考案に係る電力を消費しない表示装置を備える電源スイッチの他の実施例の通電状態を示す部分側面断面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１及び図２に示すように、本考案に係る電力を消費しない表示装置を備える電源スイッチは、ベース１０と、本体２０と、第一導電プレート４０と、第二導電プレート５０と、揺動プレート６０と、揺動ボタン７０と、位置決めロッド７５と、押しボタン３０とを有し、その内、該ベース１０は、矩形を呈し、互いに相対する側面にそれぞれ係合孔１１が形成される。
【００２１】
前記本体２０は、前記ベース１０に取り付けられる中空のケースであり、相対する両側に第一側壁２１が形成されると共に、他の相対する両側に第二側壁２２が形成され、また、該第一側壁２１はそれぞれ、該係合孔１１に対応すると共に、その外側面に１つ以上の第一係合部２１１が設けられ、該第二側壁２２はそれぞれ、その外側面に１つ以上の第二係合部２２１が設けられると共に、枢軸孔２３が形成される。
【００２２】
前記第一導電プレート４０は、一端が前記ベース１０に取り付けられ、該一端近傍に孔４１が形成され、該孔４１に接触端子４２が取り付けられ、一方、他端が前記ベース１０の係合孔１１から外部へ突出して電源の出力端（図示せず）と接続される。前記第二導電プレート５０は、一端が前記ベース１０に取り付けられると共に、他端が該ベース１０から外部へ突出して電源の入力端（図示せず）と接続され、更に、該ベース１０と対応する箇所に、コ字形の支持部５１が設けられる。
【００２３】
前記揺動プレート６０は、導電性を有するプレートであり、中央底部が揺動自在に前記第二導電プレート５０の支持部５１に設置されると共に、一端に孔６１が形成され、該孔６１に接触端子６２が取り付けられ、他端が上方に向かって湾曲するように設けられ、また、その揺動プレート６０における、該接触端子６２の内側近傍に第一接触点６０１が形成され、他端に第二接触点６０２が形成される。
【００２４】
前記揺動ボタン７０は、矩形を呈し、相対する外側面にそれぞれ、回転可能に前記本体２０の枢軸孔２３内に枢設される枢軸７１が凸設されると共に、底面に伸縮可能な当接部材７２が取り付けられ、上面に表示部材７３が取り付けられる。
【００２５】
本実施例における揺動ボタン７０は、上面中央及び底面中央にそれぞれ、ばね７３２、７２１を設置するための収容孔を有する収容柱７０１が設けられ、また、前記表示部材７３は、一端が該ばね７３２に当接するように収容柱７０１に設置されると共に、他端に傾斜状の表示面７３１が設けられ、前記当接部材７２は、一端が該ばね７２１に当接するように収容柱７０１に設置される。尚、前記表示面７３１には、マークや文字、パターン、色彩などを付しても構わなく、本実施例の表示面７３１には、彩色が施されており、電源スイッチの通電状態を表示することができる。
【００２６】
前記揺動ボタン７０の底面一側に、さらに、ブロックが凸設され、該ブロックの一側面に環状の位置決め溝７４が形成されると共に、該位置決め溝７４に第一凹部７４１、第二凹部７４２、第三凹部７４３、第三凹部７４３'が環状に配置され、それら凹部がそれぞれ異なる高低差を形成する。且つ、その位置決め溝７４における、ブロックの下部に該第一凹部７４１が形成され、ブロックの中心近傍に該第二凹部７４２が形成され、ブロックの上部両側の第二凹部７４２より高い箇所に該第三凹部７４３及び第三凹部７４３'がそれぞれ形成される（図３の如く）。また、前記位置決めロッド７５は、一端が前記本体２０内に枢設されると共に、他端が移動可能に前記揺動ボタン７０の位置決め溝７４に掛合される。この構造によれば、揺動ボタン７０を一側へ揺動させることにより、該揺動ボタン７０を一側において傾斜状態に保持することができる。
【００２７】
本実施例における位置決めロッド７５は、Ｌ字形を呈し、一端がスプリング７５１を介して前記本体２０の第二側壁２２に枢設される。故に、その位置決めロッド７５を位置決め溝７４内に対して時計回りに回転させると、スプリング７５１からの付勢力によって、該位置決めロッド７５が前記位置決め溝７４側へ押圧されることから、該位置決めロッド７５の他端を移動自在に位置決め溝７４内に位置させることができる。
【００２８】
前記押しボタン３０は、上下移動自在に前記本体２０に組み合わされると共に、上部に表示開口３１が形成され、互いに相対する側面に、前記本体２０の第二係合部２２１と係合する組立孔３２が形成される。この構成によれば、その押しボタン３０を一回押すと、揺動ボタン７０が一回揺動する。尚、本実施例においては、押しボタン３０の底面両側にそれぞれ柱体が設けられると共に、前記本体２０の第一側壁２１の両側上部にそれぞれ凸部が設けられ、該押しボタン３０の柱体と本体２０の凸部との間にそれぞればね３３が取り付けられ、そのばね３３の付勢力によって、押しボタン３０を上方へ復位させる。
【００２９】
図３及び図４に示すように、本考案に係る電力を消費しない表示装置を備える電源スイッチが通電している時は、その位置決めロッド７５が位置決め溝７４の第一凹部７４１に位置し、当接部材７２が揺動プレート６０の第一接触点６０１に当接し（図４の如く）、揺動プレート６０の接触端子６２が第一導電プレート４０の接触端子４２と密接することから、揺動プレート６０を介して第二導電プレート５０と第一導電プレート４０とが電気接続して電源スイッチがオン状態となる。また、この時、揺動ボタン７０の表示部材７３は、押しボタン３０の表示開口３１に位置することから、表示部材７３の表示面７３１が表示開口３１から露出し、表示面７３１の色で電源スイッチの通電状態を表示することができる。
【００３０】
また、図５及び図６に示すように、一度押しボタン３０を押してから解放すると、該押しボタン３０が表示部材７３の表示面７３１を押圧し、揺動ボタン７０が本体２０に対して時計回りに回転して倒れ込む。この時、前記揺動ボタン７０の当接部材７２は、揺動プレート６０の第一接触点６０１から第二接触点６０２へ移動すると共に、該揺動プレート６０の接触端子６２が上方へ移動して第一導電プレート４０の接触端子４２から離間する。
【００３１】
なお、前記押しボタン３０を押圧すると、その位置決めロッド７５は、先ず位置決め溝７４の第一凹部７４１から第三凹部７４３へ移動し（図６の如く）、図７に示すように、押しボタン３０を解放すると、ばね７３２、７２１の付勢力によって、揺動ボタン７０がやや上方へ移動し、位置決めロッド７５が時計回りに回転して、第三凹部７４３から第二凹部７４２へ移動して第二凹部７４２に掛合される（図８の如く）。この構成によれば、揺動ボタン７０を時計回りに回転させて倒れ込ませることにより、位置決めロッド７５を第二凹部７４２に掛合して位置決めることができる。
【００３２】
更に、前記揺動ボタン７０の表示部材７３が本体２０に対して時計回りに回転する時、表示部材７３の表示面７３１が押しボタン３０の表示開口３１から離間して、第二導電プレート５０と第一導電プレート４０とを遮断して電源スイッチをオフ状態とする。この時、表示開口３１から表示面７３１の色が見えなくなるので、無通電状態を表示することができる。
【００３３】
その後、もう一度前記押しボタン３０を押圧して解放すると、位置決めロッド７５が時計回りに回転して第三凹部７４３'から第一凹部７４１へ移動すると共に、前記揺動ボタン７０が体２０に対して逆時計回りに回転して倒れ込み、表示部材７３の表示面７３１が表示開口３１と対応するように移動し、そして、該揺動ボタン７０の当接部材７２が揺動プレート６０の第二接触点６０２から第一接触点６０１へ移動すると、揺動プレート６０の接触端子６２が第一導電プレート４０の接触端子４２と接触するように、第二導電プレート５０と第一導電プレート４０とを電気接続して電源スイッチにオン状態とする。故に上述したような操作を繰り返せば、電源スイッチの開閉状態を制御することができ、ランプなどの表示装置を設置しなくても、使用者は簡単に通電状態を判断することができる。
【００３４】
図９に示すように、本考案に係る他の実施例は、前記実施例と同様に、ベース１０と、該ベース１０に取り付けられる中空のケースである本体２０と、該本体２０に対して上下移動自在に組み合わされる押しボタン３０と、該ベース１０に取り付けられる第一導電プレート４０及び第二導電プレート５０とを有し、その内、該押しボタン３０に表示開口３１が形成され、該本体２０内に揺動自在に揺動プレート６０が取り付けられる構造を有する。
【００３５】
また、この実施例においては、前記第一導電プレート４０におけるベース１０側の一端に支持部４３が設けられ、該第二導電プレート５０におけるベース１０近傍に孔５２が形成され、該孔５２に接触端子５３が取り付けられ、揺動プレート６０における第一導電プレート４０の支持部４３と対応する箇所に支持溝部６３が形成され、該支持溝部６３を介して該第一導電プレート４０を支持部４３に設置させ、揺動プレート６０における第二導電プレート５０と対応する箇所に、接触端子６２が取り付けられる点において、前記実施例と異なる。
【００３６】
図１０及び図１１に示すように、この実施例において、一度押しボタン３０を押圧して解放すると、揺動ボタン７０が本体２０に対して時計回りに回転して倒れ込んで、当接部材７２が揺動プレート６０の第二接触点６０２から第一接触点６０１へ移動して、該揺動プレート６０の接触端子６２が第二導電プレート５０の接触端子５３と接触し、その後、揺動プレート６０を介して第一導電プレート４０と第二導電プレート５０とが電気接続する。また、この時、揺動ボタン７０の倒れ込みによって、表示部材７３が表示開口３１と対応するように移動する。
【００３７】
その後、再度前記押しボタン３０を押して解放すると、揺動ボタン７０が本体２０に対して逆時計回りに回転して倒れ込み、当接部材７２が揺動プレート６０の第一接触点６０１から第二接触点６０２へ移動して、揺動プレート６０の接触端子６２が第二導電プレート５０の接触端子５３から離間し、第一導電プレート４０と第二導電プレート５０との接続関係が遮断されて電源を切る。この時、表示部材７３は、揺動ボタン７０の倒れ込みによって表示開口３１から離間し、電源スイッチにおいて無通電状態を表示する。
【００３８】
上述したような操作を行なえば、電源スイッチの開閉状態を制御できると共に、電力を消費せずに簡単に通電状態を表示することができる。さらに、この構成によれば、第一導電プレート４０及び第二導電プレート５０を一つずつ電源の入力端及び出力端と接続させれば使用できることから、電気接続方法が制限されないので、使用上、便利性を有する。
【産業上の利用可能性】
【００３９】
本考案に係る電力を消費しない表示装置を備える電源スイッチは上記の構造を有し、押しボタンを押圧することによって電源スイッチを切り替えるものであり、使用者は、表示開口から表示部材上端の表示面を見れば、第二導電プレートと第一導電プレートとの電気接続の状態を一目で知ることができるので、非常に判断しやすいと共に、無駄な電力も消費しない。
【符号の説明】
【００４０】
１０          ベース
１１          係合孔
２０          本体
２１          第一側壁
２１１ 第一係合部
２２          第二側壁
２２１ 第二係合部
２３          枢軸孔
３０          押しボタン
３１          表示開口
３２          組立孔
３３、７３２、７２１ばね
４０          第一導電プレート
４１、５２、６１孔
４２          接触端子
４３          支持部
５０          第二導電プレート
５１          支持部
５３          接触端子
６０          揺動プレート
６０１ 第一接触点
６０２ 第二接触点
６２          接触端子
６３          支持溝部
７０          揺動ボタン
７０１ 収容柱
７１          枢軸
７２          当接部材
７３          表示部材
７３１ 表示面
７４          位置決め溝
７４１ 第一凹部
７４２ 第二凹部
７４３、７４３'第三凹部
７５          位置決めロッド
７５１ スプリング
【図１】
0003175268.tif 000003
【図２】
0003175268.tif 000004
【図３】
0003175268.tif 000005
【図４】
0003175268.tif 000006
【図５】
0003175268.tif 000007
【図６】
0003175268.tif 000008
【図７】
0003175268.tif 000009
【図８】
0003175268.tif 000010
【図９】
0003175268.tif 000011
【図１０】
0003175268.tif 000012
【図１１】
0003175268.tif 000013